(57)【特許請求の範囲】
【請求項１】
ブローチが取り付けられる表面部と、
互いに対向して、前記表面部に対して固定され、帯締が通過可能な第１開口部をそれぞれ有する二つの第１側面部と、
前記第１側面部と異なる方向で互いに対向して、前記表面部に対して固定される二つの第２側面部と、
前記表面部に対向し、前記第１側面部と前記第２側面部に対して隣接して設置され、端部にて二つの前記第１側面部の前記第１開口部と連通している第３開口部とを有する裏面部と、
を備え、
前記第２側面部と前記裏面部にわたって帯締が通過可能な第２開口部が形成されている帯締用ブローチ止め具。
【請求項２】
前記第１開口部と前記第２開口部とは、開口面積が異なる請求項１に記載の帯締用ブローチ止め具。
【請求項３】
前記表面部は、帯締が通過可能な第４開口部が形成されている請求項１又は２に記載の帯締用ブローチ止め具。
【発明の詳細な説明】
【技術分野】
【０００１】
本発明は、帯締にブローチを取り付けるための帯締用ブローチ止め具に関するものである。
【背景技術】
【０００２】
和装で、女性用の幅広の帯を太鼓結び等の帯結びにする際、帯締（おびじめ）が帯の周囲に巻かれて、最終的に帯の形が整えられる。帯締は、組紐又は布紐（例えば丸ぐけ）によって作られている。そして、装いの仕方によって、帯締には、帯留（おびどめ）と呼ばれる装飾品が取り付けられる場合がある。帯留は、宝石やガラスなどの細工物と、細工物が固定される止め具からなり、止め具が帯締に装着される。
下記の特許文献１では、帯留を帯締に着け易く外れ難くする帯留め止め具に関する技術が記載されている。
【先行技術文献】
【特許文献】
【０００３】
【特許文献１】特開２００６−３３４３４７号公報
【発明の概要】
【発明が解決しようとする課題】
【０００４】
従来、ブローチを帯留として使用可能にする帯締用ブローチ止め具がある。例えば、従来の帯締用ブローチ止め具は、対向して配置された二つの環状部材を１本の中空の棒材で連結している。そして、二つの環状部材の開口部分に帯締を通過させ、中空の棒材にブローチの針を通すことによって、帯締用ブローチ止め具を介して、ブローチが帯留として帯締に固定される。
【０００５】
しかし、帯締は、太さや断面形状が様々であるため、止め具の環状部材の大きさによっては、帯締を通すことができない場合や、帯締に比べて止め具が大きくなり過ぎて見栄えやバランスが悪い場合がある。そのため、帯締に合わせて帯留を装着しようとすると、帯締用ブローチ止め具を予めいくつか用意しておくことになる。
また、帯締端部に幅広の房が設けられている場合、房に対して止め具の環状部分が小さいため、帯締を環状部材の開口部分に通過させることができない。
【０００６】
本発明は、このような事情に鑑みてなされたものであって、様々な太さや断面形状の帯締に対応しつつ、帯締に対して容易に着脱することが可能な帯締用ブローチ止め具を提供することを目的とする。
【課題を解決するための手段】
【０００７】
上記課題を解決するために、本発明の帯締用ブローチ止め具は以下の手段を採用する。
すなわち、本発明に係る帯締用ブローチ止め具は、ブローチが取り付けられる表面部と、互いに対向して、前記表面部に対して固定され、帯締が通過可能な第１開口部をそれぞれ有する二つの第１側面部と、前記第１側面部と異なる方向で互いに対向して、前記表面部に対して固定される二つの第２側面部と、前記表面部に対向し、前記第１側面部と前記第２側面部に対して隣接して設置され、端部にて二つの前記第１側面部の前記第１開口部と連通している第３開口部とを有する裏面部とを備え、前記第２側面部と前記裏面部にわたって帯締が通過可能な第２開口部が形成されている。
【０００８】
この構成によれば、表面部に対して固定された二つの第１側面部に第１開口部がそれぞれ形成されていることから、二つの第１開口部を通過するように帯締が通されることで、帯締に対してブローチを固定でき、かつ、第１側面部と異なる方向で表面部に対して固定された二つの第２側面部に裏面部にわたって第２開口部がそれぞれ形成されていることから、二つの第２開口部を通過するように帯締が通されることで、帯締に対してブローチを固定できる。第１側面部の第１開口部と第２側面部の第２開口部とは、異なる方向に開口されていることから、一つの止め具で二つの方向に帯締を通過させることができる。
また、表面部に対向した裏面部には、二つの第１開口部と連通している第３開口部が形成されていることから、第１開口部に帯締を通す際、第３開口部を介して帯締を第１開口部に挿入することができる。
【０００９】
上記発明において、前記第１開口部と前記第２開口部とは、開口面積が異なることが望ましい。この構成によれば、一つの止め具を異なる太さや幅を有する帯締に適用できる。
【００１０】
上記発明において、前記表面部は、帯締が通過可能な第４開口部が形成されてもよい。
この構成によれば、一方の第２開口部に通された帯締を一旦表面部の第４開口部に通して、更に他方の第２開口部に帯締を通すことができる。これにより、第４開口部が形成されていない場合に比べて、スムーズに帯締を二つの第２開口部に通せる。
【発明の効果】
【００１１】
本発明によれば、帯締用ブローチ止め具を様々な太さや断面形状の帯締に対応させることができ、かつ、容易に帯締用ブローチ止め具を帯締に対して着脱することができる。
【図面の簡単な説明】
【００１２】
【図１】本発明の一実施形態に係る帯締用ブローチ止め具を示す斜視図である。
【図２】本発明の一実施形態に係る帯締用ブローチ止め具を示す正面図である。
【図３】本発明の一実施形態に係る帯締用ブローチ止め具を示す側面図である。
【図４】本発明の一実施形態に係る帯締用ブローチ止め具を示す背面図である。
【図５】本発明の一実施形態に係る帯締用ブローチ止め具を示す平面図である。
【図６】本発明の一実施形態に係る帯締用ブローチ止め具の第１の取り付け方法を示す説明図であり、取り付け途中の状態を示す。
【図７】本発明の一実施形態に係る帯締用ブローチ止め具の第１の取り付け方法を示す説明図であり、取り付け後の状態を示す。
【図８】本発明の一実施形態に係る帯締用ブローチ止め具の第２の取り付け方法を示す説明図であり、取り付け前の状態を示す。
【図９】本発明の一実施形態に係る帯締用ブローチ止め具の第２の取り付け方法を示す説明図であり、取り付け途中の状態を示す。
【図１０】本発明の一実施形態に係る帯締用ブローチ止め具の第３の取り付け方法を示す説明図であり、取り付け途中の状態を示す。
【図１１】本発明の一実施形態に係る帯締用ブローチ止め具の第３の取り付け方法を示す説明図であり、取り付け途中の状態を示す。
【図１２】本発明の一実施形態に係る帯締用ブローチ止め具の変形例を示す平面図である。
【発明を実施するための形態】
【００１３】
以下に、本発明の一実施形態に係る帯締用ブローチ止め具１について、図１〜図５を参照して説明する。
本発明の一実施形態に係る帯締用ブローチ止め具１は、宝石やガラスなどの細工物が設けられたブローチの取付用針３１によって、取付管４，５の貫通穴４ａ，５ａにブローチ３０が取り付けられ、かつ、帯締２０に装着される（図７及び図９参照）。これにより、ブローチが帯締２０に取り付けられて、帯留として装うことが可能になる。なお、図７及び図９で示したブローチ３０は、帯締２０の端近傍に位置しているが、装着者が装うときは、ブローチ３０は、帯締２０の長さ方向のほぼ中央に位置する。
【００１４】
帯締用ブローチ止め具１は、例えば、ステンレス鋼、真鍮、金、銀、銅、鉄、錫、ニッケル等の金属製又は合金製である。また、帯締用ブローチ止め具１は、プラスチック製であってもよいし、一つの素材ではなく、複数の素材を組み合わせて構成されてもよい。帯締用ブローチ止め具１は、図１に示すように、全体的に直方体形状を有する。帯締用ブローチ止め具１は、ブローチが取り付けられる部分であって、帯締２０に装着されたとき、装着者に対して外側を向く表面部２と、表面部２に固定されていて、かつ、帯締２０に支持可能な支持部３とを備える。
【００１５】
表面部２は、例えば長方形状の面を有する。表面部２は、一つの辺に位置する平行な二つの縁部２Ａと、他の辺に位置する平行な二つの縁部２Ｂからなる。縁部２Ａと縁部２Ｂは、互いに直交する関係にある。縁部２Ａと縁部２Ｂによって、長方形状の枠が構成される。表面部２には、枠によって囲まれた開口部９（第４開口部）が形成されている。なお、表面部２は、長方形状に限定されず、例えば正方形状等の他の形状でもよい。
【００１６】
表面部２は、ブローチの裏に設けられた取り付け用の取付用針が通過可能な取付管４，５が設置される。ブローチの取付用針を、取付管４，５の中空部分である貫通穴４ａ，５ａに通すことによって、ブローチが帯締用ブローチ止め具１に対して固定される。取付管４，５の貫通穴４ａ，５ａの内径は、例えば約１ｍｍである。取付管４は、縁部２Ａに設けられる。取付管５は、二つの縁部２Ｂのうちの一つであって、長方形状の枠の一部である。
【００１７】
取付管４の長さは、例えば約１６ｍｍであり、取付管５の長さは、例えば約１５ｍｍである。これにより、例えばブローチの取付用針の長さが１５ｍｍ前後から８０ｍｍ程度まで対応可能である。なお、取付管４，５の長さは、この例に限定されない。取付管４，５の長さを上述の例よりも短くすることによって、短い取付用針を有する比較的小さいブローチも取り付け可能になる。
なお、取付管４，５の長さに比べて、ブローチの取付用針が長い場合は、取付用針に針長さ調整のためのブローチ用シリコンゴムを通すとよい。これにより、ブローチの取付用針が取付管４，５内でスライドすることを防止でき、ブローチが帯締用ブローチ止め具１に対して確実に固定される。
【００１８】
また、取付管４が設けられる縁部２Ａに平行な別の縁部２Ａに、取付管４１が設けられてもよい。このとき、取付管４１は、取付管４と異なる長さを有する。取付管４１の長さが例えば約７ｍｍなど、取付管４よりも短い場合、取付管４を用いる場合と同じ方向に小さいブローチも装着可能になる。
【００１９】
支持部３は、表面部２に隣接する第１側面部６と、第１側面部６と異なる方向で表面部２に隣接する第２側面部７と、表面部に対向する位置に設けられる裏面部８を有する。
【００２０】
第１側面部６は、表面部２に対して二つ設けられ、二つの第１側面部６は互いに対向して平行である。第１側面部６は、図５に示すように、ほぼＣ字形状であり、例えば長方形の枠のうち一つの長辺の一部が切り取られて、端部６Ａが互いに離隔している。第１側面部６の離隔部分を有さないほうの長辺は、表面部２の縁部２Ａでもある。第１側面部６の離隔部分を有するほうの長辺は、裏面部８に位置する。第１側面部６の短辺は、第２側面部７に位置する。
【００２１】
第１側面部６の枠材の内側には、開口部１０（第１開口部）が形成されている。開口部１０は、通常用いられている帯締２０が通過可能な大きさを有する。第１側面部６は、例えば２０ｍｍ×７ｍｍである。第１側面部６に形成された二つの開口部１０を通過するように帯締２０が通されることで、帯締２０に対してブローチを帯留として固定できる。
【００２２】
第２側面部７は、表面部２に対して二つ設けられ、二つの第２側面部７は互いに対向して平行である。第２側面部７は、例えば１５ｍｍ×８ｍｍである。図３に示すように、第２側面部７の二つの長辺のうち一方は、表面部２の縁部２Ｂでもある。第２側面部７の二つの短辺は、第１側面部６の部材と共通である。
【００２３】
第２側面部７の二つの長辺のうち他方、すなわち裏面側の長辺の位置には、図１に示すように、枠材が設置されない。これにより、第２側面部７には、第２側面部７と裏面部８の両方にわたって形成される開口部１１（第２開口部）が形成されている。
【００２４】
裏面部８は、第１側面部６と第２側面部７の両方に対して隣接している。裏面部８には、二つの第１側面部６の端部６Ａ同士を結ぶ棒材８Ａが設置される。棒材８Ａが設けられることによって、周囲が枠によって閉じられた開口部１１が形成される。そして、二つの開口部１１に帯締２０を通したとき、表面部２と裏面部８の棒材８Ａとの間で帯締２０を固定できる。その結果、第２側面部７と裏面部８の両方にわたって形成された二つの開口部１１を通過するように帯締２０が通されることで、帯締２０に対してブローチを帯留として固定できる。
【００２５】
第１側面部６の開口部１０と第２側面部７の開口部１１とは、異なる方向に開口されていることから、一つの帯締用ブローチ止め具１で二つの方向に帯締２０を通過させることができる（図７及び図９参照）。
【００２６】
二つの棒材８Ａの間には、開口部１２（第３開口部）が形成される。二つの棒材８Ａの間の間隔は、例えば５ｍｍである。開口部１２の両端部は、第１側面部６の開口部１０と連通している。このように、裏面部８に二つの開口部１０と連通している開口部１２が形成されることによって、第１側面部６の開口部１０に帯締２０を通す際、開口部１２を介して帯締２０を開口部１０に挿入することができる。すなわち、本実施形態と異なる従来の構成では、離隔部分のない環状部材に帯締２０を通さなければならず、帯締２０の端部から帯締２０を環状部分に挿入する必要がある。一方、本実施形態では、第１側面部６の枠材において離隔部分があることで、帯締２０の途中で帯締用ブローチ止め具１を装着できる。
【００２７】
次に、帯締２０に対する帯締用ブローチ止め具１の取り付け方法について説明する。
二つの第１側面部６に形成される開口部１０に帯締２０を通過させる場合、帯締２０の端部から帯締２０を開口部１０に通過させてもよいが、裏面部８の開口部１２を介して帯締２０を開口部１０に挿入する。まず、図６に示すように、支持部２のうち幅広の３Ａ側に帯締２０を差し込み、帯締用ブローチ止め具１を帯締２０に引掛けたような状態とし、その後、図７に示すように、幅狭の３Ｂ側に帯締２０を差し込む。支持部２に幅広の３Ａ部分と幅狭の３Ｂ部分が設けられることで、スムーズに帯締２０を差し込むことができる。また、幅広の３Ａ部分が帯締２０の上部に引っ掛かるようにした場合、幅狭の３Ｂ部分が帯締２０の上部に引っ掛ける場合に比べて帯締用ブローチ止め具１が外れにくくなる。
【００２８】
図６及び図７に示す例では、二つの第１側面部６に形成される開口部１０に帯締２０を通過させることで、取付管５が帯締２０に対して平行になる。そして、ブローチの取付用針が取付管５に通されることによって、ブローチが帯締用ブローチ止め具１を介して帯締２０に装着される。
【００２９】
二つの第２側面部７と裏面部８に形成される開口部１１に帯締２０を通過させるとき、図８及び図９に示すように、帯締２０端部の房２０Ａがない場合や房２０Ａが比較的小さい場合、帯締２０の端部から帯締２０を開口部１１に通過させることができる。一方、帯締２０端部の房２０Ａが大きい場合、まず、図１０に示すように、房２０Ａを折り曲げて、折り曲げ部分を端部にして、一方の開口部１１に折り曲げ部分から帯締２０を通過させる。そして、図１１に示すように、帯締２０を表面部２の開口部９に通過させる。その後、房２０Ａが折り曲げられた折り曲げ部分を再び端部にして、図１１に示すように、他方の開口部１１に折り曲げ部分から帯締２０を通過させる。
【００３０】
本実施形態の開口部１１のように、第２側面部７と裏面部８の両方にわたって開口が形成されることによって、帯締用ブローチ止め具１の厚さを厚くすることなく、比較的太い帯締２０に対して帯締用ブローチ止め具１を装着できる。また、一旦表面部２の開口部９に帯締２０を通過させるような通し方も可能であるため、表面部９に開口がない場合に比べて、スムーズに帯締２０を挿入できる。
【００３１】
図８〜図１１に示す例では、二つの第２側面部７と裏面部８に形成される開口部１１に帯締２０を通過させることで、取付管４又は取付管４１が帯締２０に対して平行になる。そして、ブローチの取付用針が取付管４又は取付管４１に通されることによって、ブローチが帯締用ブローチ止め具１を介して帯締２０に装着される。
【００３２】
なお、上記実施形態で説明した帯締用ブローチ止め具１の形状、大きさ、部品の組み合わせ等は、本発明の一例であり、他の構成もとりうる。
例えば、上記実施形態では、表面部２に設置される取付管の本数が３本である場合について説明したが、本発明は、この例に限定されない。例えば、表面部２に設置される取付管は、１本、２本又は４本などでもよい。２本の取付管が設置されるときの組み合わせは、上述した取付管４，５の場合、取付管４１，５の場合、取付管４，４１の場合などがある。
【００３３】
また、上記実施形態では、第１側面部６が、図５に示すように、長方形である場合について説明したが、本発明は、この例に限定されない。例えば、図１２に示すように、第１側面部６の端部６Ａが内側に位置してもよい。これにより、端部６Ａと表面部２との間の間隔が狭くなるため、厚さの薄い帯締２０を通したときであっても、帯締用ブローチ止め具１が帯締２０に対して滑ったり不安定になったりすることを防止できる。
【符号の説明】
【００３４】
１  帯締用ブローチ止め具
２  表面部
３  支持部
４，５，４１  取付管
６  第１側面部
７  第２側面部
８  裏面部
９  開口部（第４開口部）
１０  開口部（第１開口部）
１１  開口部（第２開口部）
１２  開口部（第３開口部）
２０  帯締
【要約】
【課題】様々な太さや断面形状の帯締に対応しつつ、帯締に対して容易に着脱することが可能な帯締用ブローチ止め具を提供することを目的とする。
【解決手段】帯締用ブローチ止め具１は、ブローチが取り付けられる表面部２と、互いに対向して、表面部２に対して固定され、帯締が通過可能な第１開口部１０をそれぞれ有する二つの第１側面部６と、第１側面部６と異なる方向で互いに対向して、表面部２に対して固定される二つの第２側面部７と、表面部２に対向し、第１側面部６と第２側面部７に対して隣接して設置され、端部にて二つの第１側面部６の第１開口部１０と連通している第３開口部１２とを有する裏面部８とを備え、第２側面部７と裏面部８にわたって帯締が通過可能な第２開口部１１が形成されている。
【選択図】図１【図１】
0005461731.tif 000002
【図２】
0005461731.tif 000003
【図３】
0005461731.tif 000004
【図４】
0005461731.tif 000005
【図５】
0005461731.tif 000006
【図６】
0005461731.tif 000007
【図７】
0005461731.tif 000008
【図８】
0005461731.tif 000009
【図９】
0005461731.tif 000010
【図１０】
0005461731.tif 000011
【図１１】
0005461731.tif 000012
【図１２】
0005461731.tif 000013